(57)【要約】【課題】  問題作成の作業が簡単であり設問作成時確認動作を行い、間違いの発生がない整序作文問題作成支援システム及び整序作文問題作成支援プログラムを提供する。【解決手段】  整序作成問題の対象となる文章の範囲を指定する（Ｓ２）。次に「付与する記号」の部分を選択する（Ｓ３）し、シャッフルのボタンをクリックする（Ｓ４）。ＰＣは乱数を発生させて、指定された単語をランダムに並び換え、単語の先頭にＳ３で指定した記号の連番を付与して画面に表示する（Ｓ５）。「要求する解答数」（Ｓ６）、及び「解答を要求する位置」を指定する（Ｓ７）。ＰＣは、Ｓ７で指定した位置に該当する単語と、その単語に付与した記号とを提示する（Ｓ８）。Ｓ７からＳ８の動作を、Ｓ６で指定した「要求する解答数」に合わせて繰り返すようにする（Ｓ９）。【選択図】      図２
2005241786.tif 000002
【特許請求の範囲】
【請求項１】
コンピュータを駆動して整序作文問題を作成するための整序作文問題作成支援システムであって、
前記コンピュータに入力された文章を表示する表示手段と、
前記表示手段により表示された文章のなかで前記整序作文問題範囲の複数の単語を指定する指定手段と、
前記指定手段により指定された複数の単語を乱数に基づいて入れ換える入れ換え手段と、
前記入れ換え手段により入れ換えられた複数の単語のそれぞれに記号を付与する記号付与手段と、
を有し、
前記記号付与手段により記号を付与された表示位置の単語を設問として作成された整序作文問題を記憶することを特徴とする整序作文問題作成支援システム。
【請求項２】
請求項１に記載の整序作文問題作成支援システムをコンピュータの実行により実現させるための整序作文問題作成支援プログラムであって、
前記コンピュータに入力された文章を表示する表示ステップと、
前記表示ステップにより表示された文章のなかで前記整序作文問題範囲の複数の単語を指定する指定ステップと、
前記指定ステップにより指定された複数の単語を乱数に基づいて入れ換える入れ換えステップと、
前記入れ換えステップにより入れ換えられた複数の単語のそれぞれに記号を付与する記号付与ステップと、
を有し、
前記記号付与ステップにより記号を付与された表示位置の単語を設問として作成された整序作文問題を記憶することを特徴とする整序作文問題作成支援プログラム。
【請求項３】
請求項２に記載の整序作文問題作成支援プログラムを記録した記録媒体。
【発明の詳細な説明】
【技術分野】
【０００１】
本発明は、整序作文問題の作成を支援するための整序作文問題作成支援システム、整序作文問題作成支援プログラム、及び記録媒体に関する。
【背景技術】
【０００２】
整序作文問題とは、任意の順序で並べられた単語を正しく並べ換え、正しい文章を作らせる、というタイプの問題で、センター試験をはじめとする各種試験に採用されている。
【０００３】
従来このような整序作文問題を作成するには、教材作成者が手作業で作成していた。また問題作成支援プログラムを用いて問題の作成を支援するシステムも提案されている（例えば、特許文献１参照。）。
【特許文献１】特開平８−１６０８７号公報
【発明の開示】
【発明が解決しようとする課題】
【０００４】
ところで、このような問題作成の支援システムにおいては、作成の支援は指定された部分の単語をシャッフルするのみであり、その後に各単語に記号を振ったり、どの単語を問題とするか、正解の記号はどれかなど、問題の詳細は作成者が行わなければならず問題作成の作業が繁雑になるだけでなく設問作成時の間違いも発生しやすくなるという問題があった。
【０００５】
本発明は、以上の点に鑑みなされたもので、整序作文問題作成の作業が簡単であり設問作成時確認動作を行い、間違いの発生をなくすようにした整序作文問題作成支援システム、整序作文問題作成支援プログラム、及び記録媒体を提供することを目的とする。
【課題を解決するための手段】
【０００６】
本発明は、上記課題を解決するために、以下の１）〜３）に記載の手段よりなる。
すなわち、
１）コンピュータを駆動して整序作文問題を作成するための整序作文問題作成支援システムであって、
前記コンピュータに入力された文章を表示する表示手段と、
前記表示手段により表示された文章のなかで前記整序作文問題範囲の複数の単語を指定する指定手段と、
前記指定手段により指定された複数の単語を乱数に基づいて入れ換える入れ換え手段と、
前記入れ換え手段により入れ換えられた複数の単語のそれぞれに記号を付与する記号付与手段と、
を有し、
前記記号付与手段により記号を付与された表示位置の単語を設問として作成された整序作文問題を記憶することを特徴とする整序作文問題作成支援システム。
２）１）に記載の整序作文問題作成支援システムをコンピュータの実行により実現させるための整序作文問題作成支援プログラムであって、
前記コンピュータに入力された文章を表示する表示ステップと、
前記表示ステップにより表示された文章のなかで前記整序作文問題範囲の複数の単語を指定する指定ステップと、
前記指定ステップにより指定された複数の単語を乱数に基づいて入れ換える入れ換えステップと、
前記入れ換えステップにより入れ換えられた複数の単語のそれぞれに記号を付与する記号付与ステップと、
を有し、
前記記号付与ステップにより記号を付与された表示位置の単語を設問として作成された整序作文問題を記憶することを特徴とする整序作文問題作成支援プログラム。
３）２）記載の整序作文問題作成支援プログラムを記録した記録媒体。
【発明の効果】
【０００７】
本発明の「整序作文問題作成支援システム、整序作文問題作成支援プログラム、及び記録媒体」によれば、乱数発生処理や配列処理を組み合わせ、整序作文問題を半自動的に作成するものとしたので、整序作文問題作成の作業が簡単で間違いのない問題作成を可能とするシステム及びプログラムを提供することができる。
【発明を実施するための最良の形態】
【０００８】
以下、本発明に係る整序作文問題作成支援システム、整序作文問題作成支援プログラム、及び記録媒体の発明を実施するための最良の形態につき、好ましい実施例により説明する。
【０００９】
図１は、本実施例に適用される整序作文問題作成支援システムに用いるＰＣのブロック構成図を示す一例である。図２は、本実施例に適用される整序作文問題作成支援プログラムのフローチャートの例である。なお、図１を説明するに当たり、図２の符号を参照することがある。
【００１０】
図１において、１０１はメモリ、１０２はハードディスク、１０３はビデオカード、１０４はビデオカードに接続されたモニタ、１０５はＣＰＵ、１０６はマウス、キーボードなどの操作部、１０７はバスラインで、メモリ１０１、ハードディスク１０２、ビデオカード１０３、ＣＰＵ１０５、操作部１０６はそれぞれバスライン１０７を通じて接続されている。
【００１１】
ハードディスク１０２にはＯＳのほか本実施例の整序作文問題作成支援システムに用いるプログラムがインストールされており、ＰＣが起動するとＣＰＵ１０５はこのプログラムに従ってメモリ１０１を作動領域として動作し、各種の画面をビデオカード１０３を通じてモニタ１０４に出力する。
【００１２】
図３に示す文章の下線部を空欄Ａとして下線部を構成する単語群を解答者に提示し、その単語群を正しく並び換え文章を完成させ、２番目と４番目に当てはまる単語を記号で答えさせる設問を作成する例を図２のフローチャートに基づき説明する。
【００１３】
問題作成支援プログラムが動作しているＰＣは、最初に図４のような設定画面を表示する（ステップＳ１）。このうち図４の上部の「シャッフルする範囲を選択して下さい」の部分には、問題の原文となる文章を画面に表示する。この文章はあらかじめ打ち込んでおいたり、テキストファイルで読み込んだりして事前にＰＣに用意しておく。
【００１４】
最初に作成者は、画面上で整序作成問題の対象となる文章の範囲をマウスなどの操作部１０６を用いてドラッグして指定する。（ステップＳ２）。図５は「will run from May through October 2003」をドラッグした例である。
【００１５】
次に作成者は設定画面の左下の「付与する記号」の部分を図６のように選択する（ステップＳ３）。以上が終わるとシャッフルのボタンをクリックする（ステップＳ４）。
【００１６】
するとＰＣは乱数を発生させて、指定された単語をランダムに並び換え、単語の先頭にステップＳ３で指定した記号の連番を付与して画面に表示する（ステップＳ５）。この時の例を図７に示す。
【００１７】
そして、作成者は図４の「要求する解答数」を選択する（ステップＳ６）。選択した例を図８に「２」を選択した例を示す。
【００１８】
そして、作成者は図４の「解答を要求する位置」を指定する（ステップＳ７）。図９にプルダウンメニューから「２」を選択した例を示す。
【００１９】
するとＰＣはステップＳ７で指定した位置に該当する単語と、その単語に付与した記号とを提示する（ステップＳ８）。図１０に単語「run」と記号「ウ」が表示された例を示す。
【００２０】
このようなステップＳ７からステップＳ８の作業を、ステップＳ６で指定した「要求する解答数」に合わせて繰り返す（ステップＳ９）。本実施例では「２」であるので、２回目に提示された例を図１１に示す。
【００２１】
このようにして整序作文問題の作成が完了する。完了した問題の文章を図１２に、設問を図１３に示す。
【００２２】
このように作成された整序作文問題はＰＣのハードディスクに記憶するだけでなく、データベースなどに保存することにより、ユーザのアクセスに応じて問題を提供し採点を行うＷＢＴ（Web Based Training）システムに用いることができる。
【００２３】
ＷＢＴシステムでは、例えば作成した設問の登録時にデータベースサーバーが一意の設問ＩＤを発行し、設問の文章部分はＨＴＭＬファイル化され、正答情報（本実施例では「ウ」「エ」）もデータベースサーバーに格納さる。解答者はＷＥＢブラウザから指定されたＵＲＬにアクセスすることにより、本設問を含んだ試験に解答することができ、その解答内容もデータベースサーバーに保存され、データベース内の正答情報と照会され、成否を判定することができる。
【００２４】
単独設置のＰＣに適用するためには、上述の整序作文問題作成支援プログラムを光ディスク、またはＩＣカードなどの記録媒体に記録して問題文作成者に配布するようにする。
【００２５】
以上述べたように、本発明の整序作文問題作成支援システムを用いれば、教材作成者は、単語の並び換えから記号の付与、さらに正答となる記号の選択まで、整序作文問題における一連の作業を半自動的に行え、さらに正答となる記号の選択を誤ることがなくなる為、効率的、且つ正確に整序作文問題を作成することができるようになる。
【図面の簡単な説明】
【００２６】
【図１】本実施例に適用される整序作文問題作成支援システムに用いるＰＣのブロック構成図の一例を示す図である。
【図２】本実施例に適用される整序作文問題作成支援プログラムのフローチャートの一例を示す図である。
【図３】整序作文問題の設問を作成する文章の一例を示す図である。
【図４】整序作文問題作成者に表示される画面の一例を示す図である。
【図５】整序作文問題作成者に表示される画面の一例を示す図である。
【図６】整序作文問題作成者に表示される画面の一例を示す図である。
【図７】整序作文問題作成者に表示される画面の一例を示す図である。
【図８】整序作文問題作成者に表示される画面の一例を示す図である。
【図９】整序作文問題作成者に表示される画面の一例を示す図である。
【図１０】整序作文問題作成者に表示される画面の一例を示す図である。
【図１１】整序作文問題作成者に表示される画面の一例を示す図である。
【図１２】完了した整序作文問題の一例を示す図である。
【図１３】完了した整序作文問題の設問が表示された画面の一例を示す図である。
【符号の説明】
【００２７】
１０１…メモリ
１０２…ハードディスク
１０３…ビデオカード
１０４…ビデオカードに接続されたモニタ
１０５…ＣＰＵ
１０６…マウス、キーボードなどの操作部
１０７…バスライン
【図１】
2005241786.tif 000003
【図２】
2005241786.tif 000004
【図３】
2005241786.tif 000005
【図４】
2005241786.tif 000006
【図５】
2005241786.tif 000007
【図６】
2005241786.tif 000008
【図７】
2005241786.tif 000009
【図８】
2005241786.tif 000010
【図９】
2005241786.tif 000011
【図１０】
2005241786.tif 000012
【図１１】
2005241786.tif 000013
【図１２】
2005241786.tif 000014
【図１３】
2005241786.tif 000015